(57)【要約】【課題】容積が異なる２種類以上の電池を収納可能にした電池収納部に容積が小さい電池を装填して形成される隙間を積極的に且つ有効に活用して予備用のメモリーカード等の記録媒体を省スペースで安全に保管すると共に容積が大きい電池を装填して使用する場合も予備用のメモリーカード等の記録媒体を安全に保管する電池格納容器、及び、その電池格納容器を具備するカメラを提供する。【解決手段】形状、又は、容積が異なる２種類以上の電池１の容積が大きい電池１ａ又は容積が小さい電池１ｂを収納可能にした電池収納部２と、上記電池収納部２に上記容積が小さい電池１ｂを装填して形成される隙間３と、上記隙間３に装填する電池アダプタ４と、上記電池アダプタ４に形成して被収納体を収納する収納部５とからなる。【選択図】      図１
2004335184.tif 000002
【特許請求の範囲】
【請求項１】
形状、又は、容積が異なる２種類以上の電池を収納可能にした電池格納容器において、容積が大きい電池、又は、容積が小さい電池を収納可能にした電池収納部と、上記電池収納部に上記容積が小さい電池を装填して形成される隙間と、上記隙間に装填する電池アダプタと、上記電池アダプタに形成されて被収納体を収納する収納部とからなることを特徴とする電池格納容器。
【請求項２】
請求項１に記載の電池格納容器において、収納部は、一個、又は、複数個の記録媒体を収納することを特徴とする電池格納容器。
【請求項３】
請求項２に記載の電池格納容器において、記録媒体は、メモリーカードであることを特徴とする電池格納容器。
【請求項４】
請求項１、２又は３に記載の電池格納容器において、収納部は、被収納体を保持する保持部材を備えることを特徴とする電池格納容器。
【請求項５】
請求項４に記載の電池格納容器において、保持部材は、電池アダプタに一体形成された一体形成保持部であることを特徴とする電池格納容器。
【請求項６】
請求項４に記載の電池格納容器において、保持部材は、電池アダプタに着脱自在の着脱保持部材であることを特徴とする電池格納容器。
【請求項７】
請求項１、２、３、４、５又は６に記載の電池格納容器において、収納部は、被収納体を覆う蓋部材を備えることを特徴とする電池格納容器。
【請求項８】
請求項７に記載の電池格納容器において、蓋部材は、複数の蓋部材からなることを特徴とする電池格納容器。
【請求項９】
電池の電力を使用して撮影画像データを記録するカメラにおいて、記録する撮影画像データを結像する撮影レンズと、上記撮影レンズを保持、又は、格納して撮影画像データを記録する本体と、上記本体に電力を与える上記請求項１乃至８の何れか一項に記載の電池格納容器とからなることを特徴とするカメラ。
【請求項１０】
請求項９に記載のカメラにおいて、電池格納容器の収納部は、撮影画像データを記録して保持する一個、又は、複数個の記録媒体を収納することを特徴とするカメラ。
【発明の詳細な説明】
【０００１】
【発明の属する技術分野】
本発明は、電池格納容器、及び、その電池格納容器を具備するカメラに関し、詳しくは、２種類以上の電池を収納可能にした電池格納容器、及び、その電池格納容器を具備する電池の電力を使用して撮影画像データを記録するデジタルカメラ等のカメラに関する。
【０００２】
【従来の技術】
従来の電池格納容器、及び、その電池格納容器を具備するカメラにおいては、形状、又は、容積が異なる２種類以上の電力を与える電池を収納可能な電池収納部に、容積が小さい電池を装填すると、隙間が形成されていた。
然し、このような、容積が異なる２種類以上の電池を収納可能な電池収納部に、容積が小さい電池を装填すると形成される隙間は、積極的に、且つ、有効的活用されることがなかった。
他方、一般に、予備用のメモリーカード等の記録媒体を、例えば、デジタルカメラの装置本体とは別に、保管、運搬することが多い。
このために、予備用のメモリーカード等の記録媒体を収納可能なケース等が市販されて使用されている。
この場合、予備用のメモリーカード等の記録媒体は、装置本体とは別に、使用者の各人のカバンや着衣のポケット等に入れて保管、運搬されて、必要な時に使用できなかったり、紛失したり、落として破損する場合があった。
このように、予備用のメモリーカード等の記録媒体は、安全に保管されていない場合があった。
このような、予備用のメモリーカード等の記録媒体を収納可能なケース等とは別に、例えば、デジタルカメラの記憶媒体を本体内で安全に保管し、その交換を容易、安全かつ速やかに行えるように、予備記憶媒体を収納する収納室を本体に設けたデジタルカメラも公知である（実用新案登録第３０８７３８８号の公報を参照）。
然し、予備用のメモリーカード等の記録媒体が不要な場合においても、予備用のメモリーカード等の記録媒体の収納スペースは維持され、使用者の利点がなく、装置本体が大型になると言う欠点があった。
従って、従来の電池格納容器、及び、その電池格納容器を具備するカメラにおいては、容積が異なる２種類以上の電池を収納可能にした電池収納部に容積が小さい電池を装填して形成される隙間が積極的に且つ有効に活用されることがなく、予備用のメモリーカード等の記録媒体の安全な保管に不必要な収納スペースが維持されて大型になる等と言う不具合が生じていた。
【０００３】
【発明が解決しようとする課題】
従来の電池格納容器、及び、その電池格納容器を具備するカメラにおいては、容積が異なる２種類以上の電池を収納可能にした電池収納部に容積が小さい電池を装填して形成される隙間が積極的に且つ有効に活用されることがなく、予備用のメモリーカード等の記録媒体の安全な保管に不必要な収納スペースが維持されて大型になる等と言う問題が発生していた。
そこで本発明の課題は、このような問題点を解決するものである。即ち、容積が異なる２種類以上の電池を収納可能にした電池収納部に容積が小さい電池を装填して形成される隙間を積極的に且つ有効に活用して予備用のメモリーカード等の記録媒体を省スペースで安全に保管すると共に容積が大きい電池を装填して使用する場合も予備用のメモリーカード等の記録媒体を安全に保管する電池格納容器、及び、その電池格納容器を具備するカメラを提供することを目的とする。
【０００４】
【課題を解決するための手段】
上記目的を達成するために、請求項１の本発明は、２種類以上の電池を収納可能にした電池格納容器において、形状、又は、容積が異なる２種類以上の電池の容積が大きい電池、又は、容積が小さい電池を収納可能にした電池収納部と、上記電池収納部に上記容積が小さい電池を装填して形成される隙間と、上記隙間に装填する電池アダプタと、上記電池アダプタに形成して被収納体を収納する収納部とからなる電池格納容器であることを最も主要な特徴とする。
請求項２の本発明は、請求項１に記載の電池格納容器において、収納部は、一個、又は、複数個の記録媒体を収納する電池格納容器であることを主要な特徴とする。
請求項３の本発明は、請求項２に記載の電池格納容器において、記録媒体は、メモリーカードである電池格納容器であることを主要な特徴とする。
請求項４の本発明は、請求項１、２又は３に記載の電池格納容器において、収納部は、被収納体を保持する保持部材とからなる電池格納容器であることを主要な特徴とする。
【０００５】
請求項５の本発明は、請求項４に記載の電池格納容器において、保持部材は、電池アダプタに一体形成された一体形成保持部である電池格納容器であることを主要な特徴とする。
請求項６の本発明は、請求項４に記載の電池格納容器において、保持部材は、電池アダプタに着脱自在の着脱保持部材である電池格納容器であることを主要な特徴とする。
請求項７の本発明は、請求項１、２、３、４、５又は６に記載の電池格納容器において、収納部は、被収納体を覆う蓋部材とからなる電池格納容器であることを主要な特徴とする。
請求項８の本発明は、請求項７に記載の電池格納容器において、蓋部材は、複数の蓋部材からなる電池格納容器であることを主要な特徴とする。
請求項９の本発明は、電池の電力を使用して撮影画像データを記録するカメラにおいて、記録する撮影画像データを結像する撮影レンズと、上記撮影レンズを保持、又は、格納して撮影画像データを記録する本体と、上記本体に電力を与える上記請求項１乃至８の何れか一項に記載の電池格納容器とからなるカメラであることを最も主要な特徴とする。
請求項１０の本発明は、請求項９に記載のカメラにおいて、電池格納容器の収納部は、撮影画像データを記録して保持する一個、又は、複数個の記録媒体を収納するカメラであることを主要な特徴とする。
【０００６】
【発明の実施の形態】
次に、本発明の実施の形態は、図面を参照して詳細に説明する。
図１及び図２は本発明の電池格納容器を備えたカメラの斜視図、図３は電池アダプタの構成図である。カメラ１０に装備されて２種類以上の電池を収納可能にした電池格納容器０は、形状、又は、容積が異なる２種類以上の電池１の容積が大きい電池１ａ、又は、容積が小さい電池１ｂを収納可能にした電池収納部２と、電池収納部２に容積が小さい電池１ｂを装填したときに形成される隙間３と、隙間３に装填する電池アダプタ４と、電池アダプタ４に形成して被収納体を収納する収納部５とからなり、容積が異なる２種類以上の上記電池１を収納可能にした電池収納部２に上記容積が小さい電池１ｂを装填して形成される上記隙間３を積極的に且つ有効的に活用して被収納体を省スペースで安全に保管する。
電池収納部２には、容積が違う２種類の上記電池１のうち容積の小さい電池１ｂは、電池アダプタ４と共に、挿入して装填されるようになっている（図１を参照）。
電池アダプタ４は、電池収納部２内に上記容量の小さい電池１ｂが挿入されて装填した状態で、上記隙間３を埋める形状、サイズになっており、上記容量の小さい電池１ｂの動きを止めて、上記隙間３を積極的に、且つ、有効に活用すると共に、電池収納部２内に挿入される上記容量の小さい電池１ｂを確実に固定する効果も与えられている。
【０００７】
一方、電池収納部２には、容積が違う２種類の上記電池１のうち上記容積の大きい電池１ａは単独で挿入して装填される（図２を参照）。
電池アダプタ４に形成した収納部５においては、被収納体である記録媒体６のメモリーカード６ａを、保持部材５ａの電池アダプタ４に一体形成された簡単な構成である一体形成保持部５ａ１で保持して、蓋部材５ｂの蓋部材５ｂ１を図示の矢印（Ａ）方向に回動して閉じて覆って、確実に保持されて落下等を防止するようになっているから、上記記録媒体６の上記メモリーカード６ａを安全に保管できる（図３を参照）。
収納部５に上記記録媒体６の上記メモリーカード６ａを挿入して確実に保持した後に、電池収納部２内に上記容量の小さい電池１ｂと共に、電池アダプタ４を上記隙間３に電池収納部２の片面に寄った状態で挿入して装填した後に、電池収納蓋７を図示の矢印（Ｂ）方向に回動して閉じて、電池格納容器０、及び、その電池格納容器０を具備するカメラ１０を使用することが出来るようになる。
【０００８】
電池アダプタ４に形成した収納部５には、上記保持部材５ａの上記一体形成保持部５ａ１や上記蓋部材５ｂの上記蓋部材５ｂ１が設けてあることで、上記電池収納２の上記隙間３から電池アダプタ４を取り出した時に、上記記録媒体６の上記メモリーカード６ａを落下させることがなく、上記記録媒体６の上記メモリーカード６ａを安全に保管できる。
更に、電池アダプタ４に形成した収納部５に蓋部材５ｂ１が設けてあることで、図２に図示のように、容量の大きい電池１ａを電池収納部２に挿入して装填した後に、電池格納容器０、又は、電池格納容器０を具備するカメラ１０を使用する場合は、電池格納容器０、又は、電池格納容器０を具備するカメラ１０から外した状態で、収納部５を形成した電池アダプタ４は単体で予備のメモリカードケースとして使用する時にも、蓋部材５ｂ１により、記録媒体６のメモリーカード６ａを安全に保管できる。
従って、容積が異なる２種類以上の上記電池１を収納可能にした電池収納部２に上記容積が小さい電池１ｂを装填して形成される上記隙間３を積極的に且つ有効に活用して、上記記録媒体６の上記予備用のメモリーカード６ａを省スペースで安全に保管すると共に、上記容積が大きい電池１ａを装填して使用する場合にも、上記記録媒体６の上記予備用のメモリーカード６ａを安全に保管する電池格納容器０を提供することが出来るようになった。
電池の電力を使用して撮影画像データを記録する上記カメラ１０は、記録する撮影画像データを結像する撮影レンズ１１と、上記撮影レンズ１１を保持、又は、格納して撮影画像データを記録する本体１２と、上記本体１２に設けた電装部に電力を与える上記請求項１乃至８の何れか一項に記載の電池格納容器０とからなり、容積が異なる２種類以上の上記電池１を収納可能にした電池収納部２に上記容積が小さい電池１ｂを装填して形成される上記隙間３を積極的に且つ有効に活用して、撮影画像データを記録して保持する上記記録媒体６の予備用の上記メモリーカード６ａを省スペースで安全に保管すると共に、上記容積が大きい電池１ａを装填して使用する場合にも、上記記録媒体６の予備用の上記メモリーカード６ａを安全に保管することが出来る。
【０００９】
図４乃至図６において、電池アダプタ４に形成した収納部５においては、一個、又は、複数個の被収納体である上記記録媒体６の上記メモリーカード６ａを、電池アダプタ４に図示の矢印（Ｃ）方向に着脱自在である上記保持部材５ａとしての着脱保持部５ａ２で保持して、蓋部材５ｂ２を図示の矢印（Ｄ）方向に回動して閉じて覆って、確実に保持されて落下等を防止するようになっているから、一個、又は、複数個の上記記録媒体６の上記メモリーカード６ａを安全に保管できる（図４と図５を参照）。
つまり、電池アダプタ４に設けた収容用空所である収納部５内に着脱保持部５ａを矢印（Ｃ）方向から着脱可能であり、着脱保持部５ａはその空所内にメモリーカード６を着脱自在に収容できる。
電池アダプタ４に形成した収納部５においては、複数個の被収納体である上記記録媒体６の上記メモリーカード６ａを、電池アダプタ４に図示の矢印（Ｃ）方向に着脱自在である上記着脱保持部５ａ２で保持して、複数の蓋部材５ｂ３の蓋部材５ｂ３１と蓋部材５ｂ３２を図示の矢印（Ｄ）方向に回動して閉じて、複数個の被収納体である上記記録媒体６の上記メモリーカード６ａの各々を覆って、確実に保持されて落下等を防止するようになっているから、複数個の上記記録媒体６の上記メモリーカード６ａの各々を安全に保管できる（図４と図６を参照）。
収納部５に１個、又は、複数個のメモリーカード６ａを挿入して確実に各々を保持した後に、電池収納部２内に上記容量の小さい電池１ｂと共に、電池アダプタ４を上記隙間３に電池収納部２の片面に寄った状態で挿入して装填した後に、上記電池収納蓋７を図示の矢印（Ｂ）方向に回動して閉じて、電池格納容器０、及び、その電池格納容器０を具備する上記カメラ１０は使用することが出来るようになる（図１を参照）。
【００１０】
電池アダプタ４に形成した収納部５には、着脱保持部５ａ２や複数の蓋部材５ｂ３の上記蓋部材５ｂ３１と上記蓋部材５ｂ３２を設けてあることで、電池収納部２の上記隙間３から電池アダプタ４を取り出した時に、複数個の上記記録媒体６の上記メモリーカード６ａの各々を落下させてしまったりすることがなく、複数個の上記記録媒体６の上記メモリーカード６ａの各々を安全に保管できる。
更に、電池アダプタ４に形成した収納部５に複数の上記蓋部材５ｂ３の上記蓋部材５ｂ３１と上記蓋部材５ｂ３２を設けてあることで、図２に図示のように、上記容量の大きい電池１ａを電池収納部２に挿入して装填した後に、電池格納容器０、又は、電池格納容器０を具備する上記カメラ１０を使用する場合は、電池格納容器０、又は、電池格納容器０を具備する上記カメラ１０から外した状態で、収納部５を形成した電池アダプタ４は単体で予備のメモリカードケースとして使用する時にも、上記蓋部材５ｂの上記蓋部材５ｂ３の上記蓋部材５ｂ３１と上記蓋部材５ｂ３２により、複数個の上記記録媒体６の上記メモリーカード６ａの各々を安全に保管することが出来るようになった。
従って、容積が異なる２種類以上の上記電池１を収納可能にした電池収納部２に上記容積が小さい電池１ｂを装填して形成される上記隙間３を積極的に且つ有効に活用して、複数個の上記記録媒体６の予備用の上記メモリーカード６ａの各々を省スペースで安全に保管すると共に、上記容積が大きい電池１ａを装填して使用する場合にも、複数個の上記記録媒体６の予備用の上記メモリーカード６ａの各々を安全に保管する電池格納容器０を提供することが出来るようになった。
更に、電池の電力を使用して撮影画像データを記録する上記カメラ１０は、記録する撮影画像データを結像する上記撮影レンズ１１と、上記撮影レンズ１１を保持、又は、格納して撮影画像データを記録する上記本体１２と、上記本体１２に電力を与える請求項１乃至８の何れか一項に記載の電池格納容器０とからなり、容積が異なる２種類以上の上記電池１を収納可能にした電池収納部２に上記容積が小さい電池１ｂを装填して形成される上記隙間３を積極的に且つ有効に活用して、撮影画像データを記録して保持する複数個の上記記録媒体６の予備用の上記メモリーカード６ａの各々を省スペースで安全に保管すると共に、上記容積が大きい電池１ａを装填して使用する場合にも、撮影画像データを記録して保持する複数個の上記記録媒体６の予備用の上記メモリーカード６ａの各々を安全に保管することが出来るようになった。
【００１１】
【発明の効果】
本発明は、以上説明したように構成されているので、請求項１の発明によれば、容積が異なる２種類以上の電池を収納可能にした電池収納部に容積が小さい電池を装填して形成される隙間を積極的に、且つ、有効に活用して、被収納体を省スペースで安全に保管する電池格納容器を提供することが出来るようになった。
請求項２の発明によれば、容積が異なる２種類以上の電池を収納可能にした電池収納部に容積が小さい電池を装填して、形成される隙間を積極的に、且つ、有効に活用して、被収納体の記録媒体を省スペースで安全に保管する電池格納容器を提供することが出来るようになった。
請求項３の発明によれば、容積が異なる２種類以上の電池を収納可能にした電池収納部に容積が小さい電池を装填して形成される隙間を積極的に、且つ、有効に活用して、被収納体である記録媒体のメモリーカードを省スペースで安全に保管する電池格納容器を提供することが出来るようになった。
請求項４の発明によれば、容積が異なる２種類以上の電池を収納可能にした電池収納部に容積が小さい電池を装填して形成される隙間を積極的に、且つ、有効に活用すると共に、被収納体を保持部材で保持して、省スペースで安全に保管する電池格納容器を提供することが出来るようになった。
請求項５の発明によれば、容積が異なる２種類以上の電池を収納可能にした電池収納部に容積が小さい電池を装填して形成される隙間を積極的に、且つ、有効に活用すると共に、被収納体を保持部材の簡単な構成の一体形成保持部で保持して、省スペースで安全に保管する電池格納容器を提供することが出来るようになった。
請求項６の発明によれば、容積が異なる２種類以上の電池を収納可能にした電池収納部に容積が小さい電池を装填して形成される隙間を積極的に、且つ、有効に活用すると共に、被収納体を保持部材の着脱自在の着脱保持部で保持することにより、省スペースで安全に保管する電池格納容器を提供することが出来るようになった。
【００１２】
請求項７の発明によれば、容積が異なる２種類以上の電池を収納可能にした電池収納部に容積が小さい電池を装填して形成される隙間を積極的に、且つ、有効に活用すると共に、被収納体を省スペースで安全に保管すると共に、容積が大きい電池を装填して使用する場合も被収納体を安全に保管する電池格納容器を提供することが出来るようになった。
請求項８の発明によれば、容積が異なる２種類以上の電池を収納可能にした電池収納部に容積が小さい電池を装填して形成される隙間を積極的に、且つ、有効に活用すると共に、複数個の被収納体を省スペースで安全に保管する、共に、容積が大きい電池を装填して使用する場合も複数個の被収納体の各々を安全に保管する電池格納容器を提供することが出来るようになった。
請求項９の発明によれば、容積が異なる２種類以上の電池を収納可能にした電池収納部に容積が小さい電池を装填して形成される隙間を積極的に、且つ、有効に活用すると共に、被収納体の記録媒体のメモリーカードを省スペースで安全に保管すると、共、に容積が大きい電池を装填して使用する場合も被収納体の記録媒体のメモリーカードを安全に保管する電池格納容器を具備するカメラを提供することができるようになった。
請求項１０の発明によれば、容積が異なる２種類以上の電池を収納可能にした電池収納部に容積が小さい電池を装填して形成される隙間を積極的に、且つ、有効に活用すると共に、被収納体の撮影画像データを記録して保持する一個、又は、複数個の記録媒体のメモリーカードを省スペースで安全に保管すると共に、容積が大きい電池を装填して使用する場合も被収納体の撮影画像データを記録して保持する一個、又は、複数個の記録媒体のメモリーカードを安全に保管する電池格納容器を具備するカメラを提供することが出来るようになった。
【図面の簡単な説明】
【図１】本発明の実施の形態例を示す電池格納容器、及び、その電池格納容器を具備するカメラを説明する斜視図である。
【図２】本発明の実施の形態例を示す電池格納容器、及び、その電池格納容器を具備するカメラの主要部の状態を説明する説明図である。
【図３】本発明の実施の形態例を示す電池格納容器の他の主要部を説明する斜視図である。
【図４】本発明の他の実施の形態例を示す電池格納容器の主要部を説明する斜視図である。
【図５】本発明の他の実施の形態例を示す電池格納容器の他の主要部を説明する斜視図である。
【図６】本発明の他の実施の形態例を示す電池格納容器の主要部を説明する斜視図である。
【符号の説明】
０  電池格納容器、１  電池、１ａ  容積が大きい電池、１ｂ  容積が小さい電池、２  電池収納部、３  隙間、４  電池アダプタ、５  収納部、５ａ  保持部材、５ａ１  一体形成保持部、５ａ２  着脱保持部材、５ｂ  蓋部材、５ｂ１蓋部材、５ｂ２  蓋部材、５ｂ３  複数の蓋部材、５ｂ３１  蓋部材、５ｂ３２  蓋部材、６  記録媒体、６ａ  メモリーカード、７  電池収納蓋、１０  カメラ、１１  撮影レンズ、１２  本体
【図１】
2004335184.tif 000003
【図２】
2004335184.tif 000004
【図３】
2004335184.tif 000005
【図４】
2004335184.tif 000006
【図５】
2004335184.tif 000007
【図６】
2004335184.tif 000008